(57)【要約】【課題】安価に且つコンパクトに形成した複数種類のスープ類を小分け・充填し得る流動物の小分け充填・装置を提供する。【解決手段】小分け・充填する流動物収容容器に連通する吸引口と小分け・充填する容器への吐出口とを有する定量切出弁本体と、該定量切出弁本体に回動自在に嵌合させた内筒と、該内筒内に摺動自在に嵌合させたピストンと、前記内筒の円周上に形成された開口とを具備し、該内筒の開口を前記定量切出弁本体の吸引口と連通させた状態で、前記ピストンを後退させて内筒内に所定量の流動物を充填し、前記内筒の開口を前記定量切出弁本体の吐出口と連通させた状態で、前記ピストンを前進させて、前記連通した吐出孔から流動物を吐出するように構成した切出弁を複数連結してなり、該複数の切出弁は、前記内筒に形成若しくは連設した歯車同士を歯合連結若しくは駆動歯車を介して歯合連結し、単一の駆動源によって駆動し得るように構成した。【選択図】図１
2005047606.tif 000002
【特許請求の範囲】
【請求項１】
小分け・充填する流動物収容容器に連通する吸引口と小分け・充填する容器への吐出口とを有する定量切出弁本体と、該定量切出弁本体に回動自在に嵌合させた内筒と、該内筒内に摺動自在に嵌合させたピストンと、前記内筒の円周上に形成された開口とを具備し、該内筒の開口を前記定量切出弁本体の吸引口と連通させた状態で、前記ピストンを後退させて内筒内に所定量の流動物を充填し、前記内筒の開口を前記定量切出弁本体の吐出口と連通させた状態で、前記ピストンを前進させて、前記連通した吐出孔から流動物を吐出するように構成した切出弁を複数連結してなり、該複数の切出弁は、前記内筒に形成若しくは連設した歯車同士を歯合連結若しくは駆動歯車を介して歯合連結し、単一の駆動源によって駆動し得るように構成したことを特徴とする複数連設した流動物の小分け・充填装置。
【請求項２】
前記複数の内筒の開口は、同時に前記定量切出弁本体の前記吸引口又は吐出口と連通する請求項１記載の小分け・充填装置。
【請求項３】
前記複数の内筒の開口は、それぞれ同時には前記定量切出弁本体の前記吸引口又は吐出口と連通しない請求項１記載の小分け・充填装置。
【発明の詳細な説明】
【技術分野】
【０００１】
この発明は、一台で複数種類の具入りスープ類を、缶詰め若しくは真空パックの袋に充填したり、一定量ずつに小分けすることができる小分け・充填装置に関する。
【背景技術】
【０００２】
液体中に肉類や野菜類が混入しているカレー、ミネソタローネ、豚汁、シチュー等の具入りスープ類を、缶に充填して缶詰としたり、真空パックの袋に充填するのに、従来は、具を充填する工程とスープを充填する工程の二工程で行われていた。そのため、作業能率が上がらない問題があった。
【０００３】
このような問題点を解決するため、本出願人は、具とスープ液とを一緒に小分け充填できる流動物の小分け充填装置を開発し、先に特許出願したが、このものは既に特許されている（例えば特許文献１参照）。
【０００４】
【特許文献１】特許第３２６７９６４号明細書
【発明の開示】
【発明が解決しようとする課題】
【０００５】
上記装置は、具入りスープ類を容易に一定容積に小分けできることから極めて高い評価を受けているが、複数のスープ類を小分けする場合には、複数台購入しなければならないので高価になることと、場所をとる問題があった。
【０００６】
この発明は、安価に且つコンパクトに形成した複数種類のスープ類を小分け・充填し得る流動物の小分け充填・装置を提供することを目的とする。
【課題を解決するための手段】
【０００７】
上記目的に沿う本発明のうち請求項１に記載の発明は、小分け・充填する流動物収容容器に連通する吸引口と小分け・充填する容器への吐出口とを有する定量切出弁本体と、該定量切出弁本体に回動自在に嵌合させた内筒と、該内筒内に摺動自在に嵌合させたピストンと、前記内筒の円周上に形成された開口とを具備し、該内筒の開口を前記定量切出弁本体の吸引口と連通させた状態で、前記ピストンを後退させて内筒内に所定量の流動物を充填し、前記内筒の開口を前記定量切出弁本体の吐出口と連通させた状態で、前記ピストンを前進させて、前記連通した吐出孔から流動物を吐出するように構成した切出弁を複数連結してなり、該複数の切出弁は、前記内筒に形成若しくは連設した歯車同士を歯合連結若しくは駆動歯車を介して歯合連結し、単一の駆動源によって駆動し得るように構成したことを特徴とする。
【０００８】
要するに本発明は、内筒の回転とピストンの前進・後進とを連動させないように構成し、全ての内筒を単一の駆動源によって駆動させるようにすることによって、全ての内筒から同時に小分け充填することも、別々に小分け充填することもできるようにしたことを要旨とするものである。
【０００９】
前記複数の内筒の開口は、同時に前記定量切出弁本体の前記吸引口又は吐出口と連通するようにすれば、同時に吐出させることも、別々に吐出させることもできる（請求項２）。連通しても、小分け・充填する必要のない場合は、ピストンを移動させないように構成すれば良いからである。
【００１０】
前記複数の内筒の開口は、それぞれ同時には前記定量切出弁本体の前記吸引口又は吐出口と連通しないようにすれば、連通した場合のみピストンを前進・後進するように設定することができる（請求項3）。
【発明の効果】
【００１１】
本発明によれば、単一の駆動源によって、複数の切出弁を独立して吸引・吐出し得るように構成することができるので、複数のスープ類を小分け・充填し得る流動物の小分け充填・装置を安価に且つコンパクトに形成することができる。
【発明を実施するための最良の形態】
【００１２】
次に、本発明の実施の形態を図面に基づいて説明する。
【００１３】
図１〜図３は、本発明の小分け・充填装置を二連とした一実施例を示すものであり、定量切出弁本体１,１ａは、円筒状に形成され、同切出弁本体１,１ａの上端開口（吸引口）２,２ａと小分け充填する具入りスープ類を収容した容器下端開口（図示省略）とが連結されるようになっている。同切出弁本体１,１ａの吐出口は、上端開口（吸引口）２,２ａと対向して形成されている。
【００１４】
定量切出弁本体１,１ａの先端開口には、フロントキャップ（蓋体）３,３ａが嵌合固定され、同定量切出弁本体１,１ａには、内筒（ロータリー弁）４,４ａが、回動自在に嵌合されている。
【００１５】
内筒４,４ａ後端には、歯車５,５ａが歯合固定され、同歯車５,５ａは、モータ７により回転する駆動歯車６を介して歯合するようになっている。
【００１６】
内筒４,４ａの円周上には、開口（貫通孔）が形成され、同開口が前記定量切出弁本体１,１ａの吸引孔２,２ａと連通すると、ピストン本体を後退させることによって内筒５,５ａ内に所定量の具入りスープ類を充填し、前記内筒５,５ａの開口が前記定量切出弁本体１,１ａの吐出口と連通すると、ピストンは前進して、連通した吐出口から具入りスープ類を吐出するようになっている。
【００１７】
内筒４と内筒４ａの開口は、一方が吸引孔２,２ａ又は吐出孔と連通すると、他方が吸引孔２,２ａ又は吐出孔と連通しないように、例えば常に１８０°回転位置になるように構成すれば、ピストンは、吸引孔２,２ａと連通すれば後退し、吐出孔と連通すれば、前進するように形成して、選択した定量切出弁本体１又は１ａから具入りスープ類を小分けすることができる。
【００１８】
また、内筒４と内筒４ａの開口は、一方が吸引孔２,２ａ又は吐出孔と連通すると、他方も吸引孔２,２ａ又は吐出孔と連通するように、常に同じ回転位置になるように構成すれば、吸引孔２,２ａと連通し吐出させる方のピストンのみを後退させ、吐出孔と連通すれば前進するように形成すれば、定量切出弁本体１,１ａの一方及び両方から具入りスープ類を小分けすることができる。小分けした具入りスープ類は、図２及び図３に示すように、吐出口に連通する吐出ノズル１０,１０ａから容器１１に投入されるようになっている。
【００１９】
ピストンを往復運動させるピストンロッド（ラックギヤ-）８,８ａは、モータ９,９ａの回転軸に固定したピニオンと歯合して往復運動するように構成されている。これは、クランクシャフトの回転によって、ピストンロッドを往復運動させても良いが、内筒の回転とは、連動しないように構成する必要がある。
【００２０】
吸引孔２,２ａの両開口が常に同じ位置になるように形成した場合は、ピストンロッド８,８ａは、独立して往復運動し得るように構成する必要がある。
【００２１】
図４及び図５は、本発明の小分け・充填装置を三連とした一実施例を示すものであり、定量切出弁本体１,１ａ,１ｂは、円筒状に形成され、同切出弁本体１,１ａ,１ｂの上端開口（吸引口）２,２ａ,２ｂと小分け充填する具入りスープ類を収容した容器下端開口１２,１２ａ,１２ｂ（１２ａと１２ｂとは図示省略）とが連結されるようになっている。同切出弁本体１,１ａ,１ｂの吐出口１３,１３ａ,１３ｂは、上端開口（吸引口）２,２ａ,２ｂと対向して形成されている。
【００２２】
定量切出弁本体１,１ａ,１ｂに嵌合した内筒４,４ａ,４ｂに嵌合固定した歯車５,５ａ,５ｂが歯合し、歯車５ｂが駆動歯車６´と歯合し、駆動歯車６´を回転させて、歯車５,５ａ，５ｂを回転させるように構成されている。
【００２３】
内筒の開口１４,１４ａ,１４ｂは、１４と１４ｂとが常に同じ位置となり、１４ａが１４,１４ｂと１８０°回転位置となるように形成されている。この場合は、１４と１４ｂとの内筒に嵌合させたピストンが、独立して前進・後進し得るようにプログラミングされているので、具入りスープ類は、内筒の開口１４と１４ｂ内に同時に吸引して吐出させることも、選択した一方のみを吸引して吐出させることもできる。内筒の開口１４,１４ａ,１４ｂの全てを同方向に向くように構成すれば、同時に１４,１４ａ,１４ｂの全ての開口から吸引して吐出させることも、独立して吸引吐出させることもできる。
【００２４】
図５は、定量切出弁本体１ａの内筒４ａから具入りスープ類を吐出している状態を示すものである。定量切出弁本体１と１ｂとは待機状態であり、装置のボタンを押すことによって、ボタンを押した方のピストンが後進して具入りスープ類を内筒４，４ｂ内に吸入し、内筒を１８０°回転させてピストンを前進させ、具入りスープ類を吐出口１３，１３ｂから吐出させるようになっている。
【００２５】
図６及び図７は、単一の流動物の小分け・充填装置の一実施例を示すものであり、本発明においては、このような装置が二連、三連と複数連設されている。
【００２６】
小分け・充填する流動物の収容容器（ホッパー）１５には、攪拌羽根１６が内装されている。
【００２７】
流動物の収容容器１５上端には、攪拌モータを収容した攪拌モータ箱１７が載置されるようになっている。流動物の収容容器１５は、ＩＨボックス内１８のＩＨヒータによって加熱される。尚、図中、１９は保護金網であり、加熱されている流動物の収容容器１５に誤って手などが触れないようにするためのものである。
【００２８】
容器１５下端開口１２と定量切出弁本体１の上端開口２とが連結し、同切出弁本体１の先端開口には、フロントキャップ３が嵌合固定されている。切出弁本体の吐出口１３には、吐出ノズル１０が連結固定されている。
【００２９】
切出弁本体１には、内筒４が回動自在に嵌合し、同内筒４内にはピストン本体２０が嵌合している。内筒４は、切出弁駆動モータ２２の回転軸に歯合した歯車と内筒４に固定した歯車とを歯合させることによって回動し得るようになっている。ピストンシャフト２１後端は、ピストンクランプによって着脱しうるように掴持され、ピストンクランプに連設したラックギヤーをモータ２３の回転軸に固定したピニオンに歯合させてピストンシャフトを前進・後進させるようになっている。尚、図６及び図７中、２４は制御盤であり、２５は操作箱である。
【産業上の利用可能性】
【００３０】
本発明によれば、単一のモータで複数の切出弁を駆動し，複数のスープ類を小分けすることができるので、複数台購入する場合と比べて、安価で且つ省スペースにすることができるから、出願後直ちに実施する予定である。
【図面の簡単な説明】
【００３１】
【図１】本発明の一実施例を示す斜視図である。
【図２】本発明の装置外観を示す正面図である。
【図３】本発明の装置外観を示す側面図である。
【図４】本発明の他の実施例を示す断面図である。
【図５】本発明の他の実施例を示す断面図である。
【図６】本発明の単一の小分け装置の断面図である。
【図７】図6の分解斜視図である。
【符号の説明】
【００３２】
１，１ａ，１ｂ                定量切出弁本体
２，２ａ，２ｂ                吸引孔（切出弁本体の上端開口）
４，４ａ                      内筒
８，８ａ                      ピストンロッド
１０，１０ａ                    ノズル
１３，１３ａ，１３ｂ            切出弁本体の吐出口
１４，１４ａ，１４ｂ            内筒の開口
２０                            ピストン本体
２１                            ピストンシャフト
【図１】
2005047606.tif 000003
【図２】
2005047606.tif 000004
【図３】
2005047606.tif 000005
【図４】
2005047606.tif 000006
【図５】
2005047606.tif 000007
【図６】
2005047606.tif 000008
【図７】
2005047606.tif 000009